【事件の表示】
　平成１０年特許願第５１５９５３号「ジャムセッションのシミュレーションを行い、ユーザにドラムの演奏方法を教える方法及び装置」拒絶査定不服審判事件〔平成１０年　４月　２日国際公開、ＷＯ９８／１３８２０、平成１２年　６月２０日国内公表、特表２０００−５０７７２１〕について、次のとおり審決する。
【結　論】
　本件審判の請求は、成り立たない。
【理　由】
１　本願発明
　本願は、平成９年９月２６日の出願（優先権主張（米国）１９９６年９月２６日）であって、その請求項２に係る発明（以下、「本願発明」という）は、平成１１年７月２８日、平成１３年２月１５日、平成１４年８月５日付けの手続補正書により補正された明細書および図面の記載からみて、特許請求の範囲の請求項２に記載された次のとおりのものと認める。
「　複数のユーザ入力用センサと、
　オーディオスピーカシステムと、
　ビデオディスプレイシステムと、
　ユーザ入力用センサからの入力を受信し、前記オーディオスピーカシステムと前記ビデオディスプレイシステムとを制御可能に駆動するための制御システムであって、ユーザが前記複数のユーザ入力用センサを起動するにつれて、前記オーディオスピーカシステムと前記ビデオディスプレイシステムとを駆動して、ユーザへの音楽上の指示とユーザへのフィードバックとを提供するようにプログラムされている制御システムとを有することを特徴とする視聴覚による対話型の音楽装置。」
　
２　刊行物発明
 （１）これに対して、原審拒絶理由で引用された、本願の出願日前である平成７年６月６日に頒布された「特開平７−１４６６４０号公報」（以下、「刊行物１」という）には次の事項が記載されている。
ア　「図１に示したように、本発明に係る電子鍵盤楽器の演奏練習装置においては、複数個の鍵盤を有する鍵盤部１０と、音楽教師モードと該音楽教師モードに包含される練習メニューとを選択する選択部２０と、該選択部２０の出力信号により表示部４０を制御し前記鍵盤部１０の鍵盤が押されると出力部５０を制御するマイクロコンピューター３０と、該マイクロコンピューター３０の制御信号により所定画面を表示する表示部４０と、該マイクロコンピューター３０の制御により可聴音をスピーカー６０に出力する出力部５０と、を備えている。且つ、前記選択部２０においては、使用者により音楽教師モードを選択するスイッチＳＷ１と、スタート／ストップを選択するスイッチＳＷ２と、前記音楽教師モードに包含された練習メニューを各々選択するスイッチＳＷ３〜ＳＷ８と、が備えられている。又、前記出力部５０は、従来と同様にマイクロコンピューター３０の制御により可聴音をスピーカー６０に出力するようになっている。」（４頁５欄２９行ないし４６行、図１）
イ　「選択部２０のスイッチＳＷ８がオン状態になるとマイクロコンピューター３０は練習モードを行うための信号が入力されたと判別し、図８に示したような音楽教師ルーチンを行う。即ち、図２に示した第１テストの音楽メニューが選択されたと判別されると、図３に示したように、楽譜と鍵盤とでなる音標テストの画面がマイクロコンピューター３０により表示部４０に表示され、第１テストの音標及び第２テストのメロディとのメニューがセッチングされると、既設定されたソングメロディの音の高さのみを練習し得るようになる。
　この場合、前記音標テスト画面の楽譜には点線で表示した直四角形のカーソルにより演奏すべき音標が指示され、該音標テストの鍵盤部位には黒いドットにより演奏すべき鍵盤が指示される。次いで、マイクロコンピューター３０は鍵盤部１０の鍵盤中新しく押される鍵盤があるかを判別し、前記カーソルの指示した音標に該当する鍵盤が押されないか又は他の鍵盤が押されると、該カーソルの指示した音標から次の音標に移動されないようにした後、リターンする。若し、カーソルの指示した音標に該当する鍵盤が押されると、マイクロコンピューター３０は出力部５０を制御してカーソルの指示した音標に該当する鍵盤の音を発生（ゲートオン）させ、該カーソルの指示した音標から次の音標に移動させる。
　且つ、カーソルの指示した音標音の高さと押された鍵盤音の高さとが互いに一致しないと、そのエラーを表示画面に表示した後、リターンする。次いで、前記カーソルが楽譜の終りに位置されたかを判別し、該カーソルが楽譜の終りに位置されないと、マイクロコンピューター３０はリターンされ、前記カーソルが楽譜の終りに位置していると判別されると、図６に示したように、音標テストに対する結果として成績点数（ｓｃｏｒｅ）を表示部４０に表示させた後、リターンされる。」（５頁７欄１１行ないし４３行、図２，３，６，８）
（２）これらの記載事項からして、刊行物１には、「（ａ）複数個の鍵盤を有する鍵盤部１０と、音楽教師モードと該音楽教師モードに包含される練習メニューとを選択する選択部２０と、該選択部２０の出力信号により表示部４０を制御し前記鍵盤部１０の鍵盤が押されると出力部５０を制御するマイクロコンピューター３０と、該マイクロコンピューター３０の制御信号により所定画面を表示する表示部４０と、該マイクロコンピューター３０の制御により可聴音をスピーカー６０に出力する出力部５０と、を備えている電子鍵盤楽器の演奏練習装置であって、
（ｂ）前記選択部２０においては、使用者により音楽教師モードを選択するスイッチＳＷ１と、スタート／ストップを選択するスイッチＳＷ２と、前記音楽教師モードに包含された練習メニューを各々選択するスイッチＳＷ３〜ＳＷ８と、が備えられており、前記出力部５０は、従来と同様にマイクロコンピューター３０の制御により可聴音をスピーカー６０に出力するようになっており、
（ｃ）選択部２０のスイッチＳＷ８がオン状態になるとマイクロコンピューター３０は練習モードを行うための信号が入力されたと判別し、音楽教師ルーチンを行い、第１テストの音楽メニューが選択されたと判別されると、楽譜と鍵盤とでなる音標テストの画面がマイクロコンピューター３０により表示部４０に表示され、第１テストの音標及び第２テストのメロディとのメニューがセッチングされると、既設定されたソングメロディの音の高さのみを練習し得るようになり、
（ｄ）この場合、前記音標テスト画面の楽譜には点線で表示した直四角形のカーソルにより演奏すべき音標が指示され、該音標テストの鍵盤部位には黒いドットにより演奏すべき鍵盤が指示され、次いで、マイクロコンピューター３０は鍵盤部１０の鍵盤中新しく押される鍵盤があるかを判別し、前記カーソルの指示した音標に該当する鍵盤が押されないか又は他の鍵盤が押されると、該カーソルの指示した音標から次の音標に移動されないようにした後、リターンし、若し、カーソルの指示した音標に該当する鍵盤が押されると、マイクロコンピューター３０は出力部５０を制御してカーソルの指示した音標に該当する鍵盤の音を発生（ゲートオン）させ、該カーソルの指示した音標から次の音標に移動させ、
（ｅ）カーソルの指示した音標音の高さと押された鍵盤音の高さとが互いに一致しないと、そのエラーを表示画面に表示した後、リターンし、次いで、前記カーソルが楽譜の終りに位置されたかを判別し、該カーソルが楽譜の終りに位置されないと、マイクロコンピューター３０はリターンされ、前記カーソルが楽譜の終りに位置していると判別されると、音標テストに対する結果として成績点数（ｓｃｏｒｅ）を表示部４０に表示される電子鍵盤楽器の演奏練習装置。」（以下「刊行物発明」といい、便宜上符号（ａ）ないし（ｅ）を付与した）が記載されていると認められる。
　
３　本願発明と刊行物発明との対比
　本願発明と刊行物発明を対比すると、
（１）本願発明のユーザ入力用センサは、「ギター、キーボードあるいは簡単なスイッチ構成に似た装置のような他の形状要素を用いてもよい」（明細書１１頁）ところ、刊行物発明の「鍵盤部」の「複数の鍵盤」は、ユーザが使用する入力用センサといえるので、本願発明の「複数のユーザ入力用センサ」に相当する。
　また、刊行物発明の「スピーカ」は、可聴音を出力する装置であって、本願発明の「オーディオスピーカシステム」も可聴音を出力する装置であるので、システムかどうかの相違はあるものの、刊行物発明は、本願発明とは「可聴音出力装置」を有する点で一致している。
　また、刊行物発明の「表示部」は、ディスプレイといえるが、ビデオを表示するものとはいえず、システムかどうかは明確でないものの、刊行物発明は、本願発明とは「ディスプレイ」を有する点で一致している。
　また、刊行物発明は、上記（ａ）によれば、「マイクロコンピュータ」は「該選択部２０の出力信号により表示部４０を制御し前記鍵盤部１０の鍵盤が押されると出力部５０を制御する」ものであり、「マイクロコンピュータ」は「制御システム」といえるから、刊行物発明は、本願発明の「ユーザ入力用センサからの入力を受信し、前記可聴音出力装置と前記ディスプレイとを制御可能に駆動するための制御システム」に相当する構成を有している。　そしてまた、上記（ｄ）（ｅ）によれば、刊行物発明の「マイクロコンピュータ」は、「カーソルの指示した音標に該当する鍵盤が押される」、すなわち「ユーザが複数のユーザ入力用センサを起動するにつれて」、出力部５０を制御してカーソルの指示した「音標に該当する鍵盤の音を発生（ゲートオン）」すなわち「可聴音出力装置を駆動」させ、「前記音標テスト画面の楽譜には点線で表示した直四角形のカーソルにより演奏すべき音標が指示され、該音標テストの鍵盤部位には黒いドットにより演奏すべき鍵盤が指示され」、「カーソルの指示した音標から次の音標に移動させ、カーソルの指示した音標音の高さと押された鍵盤音の高さとが互いに一致しないと、そのエラーを表示画面に表示」とあるように「ユーザへの音楽上の指示」を行っているといえる。さらに、本願発明のユーザへのフィードバックは、「例えば、群衆の喝采が聞こえたり、得点表示などが現れる」（明細書１７頁）ものであるところ、刊行物発明は、「カーソルが楽譜の終りに位置していると判別されると、音標テストに対する結果として成績点数（ｓｃｏｒｅ）を表示部４０に表示」するので「ユーザへのフィードバックを提供」しているものといえる。
　であるから、刊行物発明は、本願発明の「ユーザが前記複数のユーザ入力用センサを起動するにつれて、前記可聴音出力装置と前記ディスプレイとを駆動して、ユーザへの音楽上の指示とユーザへのフィードバックとを提供するようにプログラムされている制御システム」に相当する構成を有している。
　さらに、上記の如く、刊行物発明は、表示部（ディスプレイ）およびスピーカ（可聴音出力装置）を有し、表示部（ディスプレイ）によりユーザの音楽上の指示とユーザへのフィードバックとを提供しているのであるから、本願発明とは「視聴覚による対話型」の装置である点で一致する。
　そして、刊行物発明の「演奏練習装置」は、上記（ｂ）（ｃ）（ｅ）によれば、音楽メニューにより練習を行うものであり、そして、音楽を奏でる楽器の演奏を練習する装置であるから、本願発明の「音楽装置」に相当するといえる。
（２）したがって、両者は「複数のユーザ入力用センサと、可聴音出力装置と、ディスプレイと、ユーザ入力用センサからの入力を受信し、前記可聴音出力装置と前記ディスプレイとを制御可能に駆動するための制御システムであって、ユーザが前記複数のユーザ入力用センサを起動するにつれて、前記可聴音出力装置と前記ディスプレイとを駆動して、ユーザへの音楽上の指示とユーザへのフィードバックとを提供するようにプログラムされている制御システムとを有することを特徴とする視聴覚による対話型の音楽装置。」である点で一致し、次の点で相違しているものと認められる。
　ア　ディスプレイについて、本願発明は、「ビデオディスプレイシステム」であるのに対し、刊行物発明は「表示部」である点
　イ　可聴音出力装置について、本願発明が「オーディオスピーカシステム」であるのに対して、刊行物発明は「スピーカ」である点
　
４　相違点についての検討
（１）相違点アについて
　ビデオディスプレイシステムは周知（必要ならば、特開平６−３０１４７６号公報、特開平７−２８１６６６号公報参照）であり、刊行物発明の表示部に換えてビデオディスプレイシステムとすることは、当業者にとって容易に推考できたものである。
（２）相違点イについて
　ステレオスピーカ装置等のオーディオスピーカシステムは周知であり、刊行物発明のスピーカに換えてオーディオスピーカシステムとすることは、当業者にとって容易に推考できたものである。
（３）そして、これらを総合的に考慮しても当業者が容易に推考できたものであり、また、これら相違点に基づく本願発明の効果に格別顕著なものがあるともいえない。
　
５　請求人の主張
　請求人は審判請求書において、お金評価がない点、ゲームセンター用音楽教習ゲームでない点で引用例と異なる旨主張しているものと解される。
　しかしながら、本願明細書には、「家庭での使用も考えることができる」（９頁）、「請求の範囲による限定のみを受けるより大きいあるいはより小さい物理的実施例、より多いあるいはより少ない数の構成要素、異なる構成要素、及び異なるモードを含むように、本発明の開示を幅広く変更することもできる」（２６頁）なる記載があるところ、本願発明（請求項２のもの）は「音楽装置」であって、ゲームセンター用音楽教習ゲーム、お金支払い機構についての構成要件（構成要素）があるものでもないのであるから、上記主張は、本願発明（請求項２のもの）についてのものといえず、採用することができない。
　
６　むすび
　したがって、本願発明は、刊行物に記載された発明に基いて当業者が容易に発明をすることができたものであるので、他の請求項に係る発明について検討するまでもなく、特許法第２９条第２項の規定により特許を受けることができない。
　よって、結論のとおり審決する。